(57)【特許請求の範囲】
【請求項１】
電線と接続対象物との間を接続する接続部材を備えたコネクタにおいて、
前記接続部材は、角筒状に形成された本体部と、前記本体部の一側に形成され前記電線を挿入するための挿入部と、前記本体部の他側に配置され前記電線と接続するための接触部を備えたバネ部と、前記接続対象物と接続する端子部とを有し、
前記バネ部は対向配置された第１バネ部と第２バネ部とからなり、前記第１バネ部の剛性が前記第２バネ部の剛性よりも大きく設定されており、前記第２バネ部の接触部は先端部がエッジ形状に形成されていることを特徴とするコネクタ。
【請求項２】
前記端子部は前記本体部の―側と他側のそれぞれから連接されて形成され、前記接続対象物の接続部と半田接続する第１端子部と第２端子部とを有し、前記第１の端子部と前記第２の端子部とのうち少なくとも一方は切欠きを有することを特徴とする、請求項１に記載のコネクタ。
【請求項３】
前記接続対象物の一面に搭載されて接続するコネクタであり、前記電線の挿入方向は前記接続対象物の一面と平行な方向で前記接続部材に挿入されることを特徴とする、請求項１又は２に記載のコネクタ。
【請求項４】
前記接続対象物に搭載されて接続するコネクタであり、前記本体部の一面は吸着面となることを特徴とする、請求項１から３のいずれか一つに記載のコネクタ。
【請求項５】
前記接続部材を収容保持する絶縁性のハウジングを有することを特徴とする、請求項１から４のいずれか一つに記載のコネクタ。
【請求項６】
請求項１から５のいずれか一つに記載のコネクタと、前記コネクタに接続された電線と、ＬＥＤと、前記ＬＥＤを搭載した回路基板とを含み、前記コネクタは、前記回路基板の一面に搭載されていることを特徴とする照明装置。
【発明の詳細な説明】
【技術分野】
【０００１】
本発明は、電線と接続対象物との間を接続する接続部材を備えたコネクタ、及びそのコネクタを用いた照明装置に関する。
【背景技術】
【０００２】
近年、発光ダイオード（以下「ＬＥＤ」という）を発光素子として備えた照明灯（以下、「ＬＥＤ電球」という）を用いる照明装置の開発が進んでいる。ＬＥＤ電球は一般にＬＥＤを搭載した回路基板を備えている。回路基板に給電するために、電線を挿入接続するタイプのコネクタが使用されている。そのコネクタは、一般に、回路基板を固定保持する筺体に対しねじ止めにより固定されている。しかし、筺体に対しコネクタをねじ止めにより固定する作業は、ねじ止めに掛かる工数とねじ締めのトルクの管理が難しく、照明装置の組み立て性に問題を来している。
【０００３】
特許文献１又は特許文献２には、導電部材を加工してバネ性をもつ対の板部を形成し、これらの板部の間に電線を挿入するように構成した電線接続端子が開示されている。その電線接続端子において、対の板部のうち一方は電線保持部を形成され、他方は電線を受ける平らな接触部を形成されている。電線接続端子から電線を抜去するには別体の部材が用いられる。即ち、別体の部材を操作することにより電線接続端子の板部を変形させて電線を抜け易くする。
【先行技術文献】
【特許文献】
【０００４】
【特許文献１】実用新案登録第３０６９７５２号
【特許文献２】実用新案登録第３０６９７５４号
【発明の概要】
【発明が解決しようとする課題】
【０００５】
しかしながら、特許文献１又は特許文献２に開示されている電線接続端子は、別体の部材を用いて電線を抜去する構成であるため、部品点数が多くなるという問題がある。かといって、別体の部材を用いる必要なく電線を容易に抜去できる構成にすると、電線の保持力を十分に得ることができなくなる。
【０００６】
それ故に本発明の課題は、電線の保持力を容易に増加でき、かつ、部品点数の削減が可能なコネクタを提供することにある。
【０００７】
本発明の他の課題は、上記コネクタを用いた照明装置を提供することにある。
【課題を解決するための手段】
【０００８】
本発明の一態様によれば、電線と接続対象物との間を接続する接続部材を備えたコネクタにおいて、前記接続部材は、角筒状に形成された本体部と、前記本体部の一側に形成され前記電線を挿入するための挿入部と、前記本体部の他側に配置され前記電線と接続するための接触部を備えたバネ部と、前記接続対象物と接続する端子部とを有し、前記バネ部は対向配置された第１バネ部と第２バネ部とからなり、前記第１バネ部の剛性が前記第２バネ部の剛性よりも大きく設定されており、前記第２バネ部の接触部は先端部がエッジ形状に形成されていることを特徴とするコネクタが得られる。
【０００９】
本発明の他の態様によれば、前記コネクタと、前記コネクタに接続された電線と、ＬＥＤと、前記ＬＥＤを搭載した回路基板とを含み、前記コネクタは、前記回路基板の一面に搭載されていることを特徴とする照明装置が得られる。
【発明の効果】
【００１０】
本発明の一態様に係るコネクタは、電線の保持力を容易に増加でき、かつ、部品点数の削減が可能である。
【００１１】
本発明の他の態様に係る照明装置は、コネクタがＬＥＤ搭載基板の一面に搭載されるので、組み立てが容易である。
【図面の簡単な説明】
【００１２】
【図１】本発明の一実施形態に係る照明装置の外観斜視図。
【図２】図１の照明装置のカバーを外した斜視図。
【図３Ａ】図１及び図２に示す照明装置の一部品であるコネクタの斜視図。
【図３Ｂ】図３Ａのコネクタの下面側からの斜視図。
【図３Ｃ】図３Ａのコネクタの背面側からの斜視図。
【図４Ａ】図３Ａから図３Ｃに示すコネクタの分解斜視図。
【図４Ｂ】図４Ａに示す接続部材のみの断面斜視図。
【図５Ａ】図３Ａから図３Ｃに示すコネクタに電線を装着する前の状態の斜視図。
【図５Ｂ】図３Ａから図３Ｃに示すコネクタに電線を装着した後の状態の斜視図。
【図５Ｃ】図５Ｂの状態における電線とコネクタの内部機構との関係を示す断面図。
【図６Ａ】コネクタの変形例を示す斜視図。
【図６Ｂ】図６Ａのコネクタの下面側からの斜視図。
【図６Ｃ】図６Ａのコネクタの背面側からの斜視図。
【図７Ａ】図６Ａから図６Ｃに示すコネクタを回路基板に搭載して電線を装着する前の状態の斜視図。
【図７Ｂ】図６Ａから図６Ｃに示すコネクタを回路基板に搭載して電線を装着した後の状態の斜視図。
【図７Ｃ】図７Ｂと同様な状態の背面側からの斜視図。
【発明を実施するための形態】
【００１３】
まず図１及び図２を参照して、本発明の一実施形態に係る照明装置の全体構成について説明する。
【００１４】
図１及び図２の照明装置２０は、電球型ランプであり、筒状の放熱部材２１の一端即ち上端側に略円板状の伝熱部材２２がねじなどにより固定されている。放熱部材２１は、主にアルミニウムなどの伝熱性に優れた金属より成るダイカスト品であり、外周面には多数の放熱用フィンが形成されてもよい。伝熱部材２２の各々はアルミニウムなどの伝熱性に優れた金属により作られている。
【００１５】
伝熱部材２２の上面には略四角形の回路基板２３が複数のねじ２４により固定されている。回路基板２３の第１の主面即ち上面には、その中央部に一つ又は複数のＬＥＤ２５が一体化された状態で搭載されている。回路基板２３の第１の主面に上下方向で対向した第２の主面即ち下面は、伝熱部材２２の上面に実質的に密着している。
【００１６】
伝熱部材２２の上面にはまた、回路基板２３及びＬＥＤ２５を間隔をもって覆うようにドーム状のカバー２６が取り付けられている。カバー２６はガラスや透明・半透明の樹脂などで作られたものである。
【００１７】
回路基板２３の上面には、互いに同じ構成をもつ二つのコネクタ２７が搭載されている。これらのコネクタ２７は、回路基板２３の上面に設けた回路導体（図示せず）を介してＬＥＤ２５に電気的に接続されている。二つのコネクタ２７からは、ＬＥＤ２５に給電するための二本の給電用電線２８がそれぞれ引き出され、筒状の放熱部材２１の内側にのびている。ここで各給電用電線２８は一本の棒状の芯線を有するものとする。
【００１８】
放熱部材２１の他端即ち下端側には部品固定部材２９が備えられている。部品固定部材２９の上部は放熱部材２１の下部の内側に嵌合固定されている。部品固定部材２９の下部は放熱部材２１から外部に露出し、そこに口金部３１が取り付けられている。上述した二本の給電用電線２８は、放熱部材２１の内側の各種部品を介して口金部３１に電気的に接続されている。こうして、口金部３１、二本の給電用電線２８、二つのコネクタ２７、及び回路基板２３を介してＬＥＤ２５に給電できるように構成されている。
【００１９】
図２と共に図３Ａ〜図３Ｃをも参照して、コネクタ２７について説明する。
【００２０】
コネクタ２７は、電線即ち給電用電線２８と接続対象物即ち回路基板２３との間を接続する導電性の接続部材３２と、この接続部材３２を収容保持した絶縁性のハウジング３３とを有している。
【００２１】
ハウジング３３は、上面に平坦な吸着面３４が形成され、また前面３５には電線挿入部３６が形成されている。ハウジング３３の下面３７は開放され、ここに接続部材３２の一部が露出している。ハウジング３３の背面３８はここでは開放されているが、閉鎖されていてもよい。吸着面３４は、自動実装装置の吸着工具によってコネクタ２７を吸着保持するのに適した部分である。電線挿入部３６は給電用電線２８の挿入を案内する機能を持つ。
【００２２】
図２〜図３Ｃと共に図４Ａ及び図４Ｂをも参照して、接続部材３２について説明する。
【００２３】
接続部材３２は金属板に切断加工、折り曲げ加工、及び錫めっきを施して形成したものであり、四角筒状などの角筒状に形成された本体部４１と、本体部４１の一側に形成された挿入部４２と、本体部４１の他側に形成された第１バネ部４３及び第２バネ部４４と、接続部材３２の両端側にそれぞれ形成された第１端子部４５及び第２端子部４６と、ハウジング３３に固定するための固定部４７をもつ上面板部４８とを一体に有している。
【００２４】
挿入部４２は、ハウジング３３の電線挿入部３６に対向配置され、給電用電線２８が挿入される部分である。挿入部４２を通して角筒状の本体部４１に挿入された給電用電線２８はその振れが抑制される。
【００２５】
第１バネ部４３及び第２バネ部４４は、互いに対向配置され、給電用電線２８に接触するための接触部４３ａ，４４ａを対向面にそれぞれ備えている。第１のバネ部４３は比較的大きな剛性を有し、第２のバネ部４４は比較的小さな剛性を有するものとする。さらに、第１バネ部４３及び第２バネ部４４のうち少なくとも一方における接触部の先端部をエッジ形状に形成する。ここでは、第２バネ部４４の接触部４４ａの先端部がエッジ形状に形成されている。なお、図で示している形状は鋭角であるが、直角でも良く、エッジが形成される角度であれば良い。
【００２６】
第１端子部４５及び第２端子部４６は、ハウジング３３の下面３７に露出し、回路基板２３の電気回路に半田付けされる部分である。挿入部４２に近い第１端子部４５は、挿入部４２への給電用電線２８の挿入の障害にならないように本体部４１の下方に折り返された形状を有し、かつ半田付けの際に余分な半田材を逃がすための一つ又は複数の切欠き４５ａが設けられている。挿入部４２から遠く離れた第２端子部４６は二股に分かれ、二箇所の接続部４６ａ、４６ｂを回路基板２３に半田付け可能にされている。
【００２７】
図５Ａ〜図５Ｃを参照して、コネクタ２７と給電用電線２８との関係について説明する。
【００２８】
コネクタ２７に給電用電線２８を装着する前の状態を図５Ａに示す。コネクタ２７に給電用電線２８を装着するには、給電用電線２８の導体よりなる単線部２８ａを、コネクタ２７の電線挿入部３６に挿入する。このときの給電用電線２８の挿入方向は接続対象物である回路基板２３の一面と実質的に平行な方向となる。
【００２９】
コネクタ２７に給電用電線２８を装着した後の状態を図５Ｂに示す。図５Ｂの状態にあるときには、図５Ｃに示すように給電用電線２８の単線部２８ａが接続部材３２の第１バネ部４３と第２バネ部４４との間に介在し、主に第２バネ部４４を外向きに弾性的に撓ませている。この結果、主に第２バネ部４４の弾性復元力により接触部４３ａ，４４ａが単線部２８ａの周面に圧接されている。この状態において、接触部４４ａの先端部がエッジ形状に形成されているので、単線部２８ａはしっかりと保持されて抜け止めされる。こうして、給電用電線２８の保持力の増大が図られている。なお、単線部２８ａの代わりに、撚り線に半田コーティングを施したものを用いてもよい。
【００３０】
上述したように、コネクタ２７に給電用電線２８を簡単な作業で確実に接続できる。したがって、ＬＥＤ２５と同時にコネクタ２７を回路基板２３に実装することができ、かつコネクタ２７と回路基板２３との接続も半田により簡単に行うことができる。
【００３１】
次に、図２と共に図６Ａ〜図６Ｃをも参照して、上述したコネクタ２７の変形例であるコネクタ２７′について説明する。
【００３２】
このコネクタ２７′は、図２〜図５Ｃを用いて説明したコネクタ２７における接続部材３２と同じものであり、金属製である。換言すると、図２〜図５Ｃを用いて説明したコネクタ２７からハウジング３３を取り除いたものがコネクタ２７′である。したがって、このコネクタ２７′の接続部材３２と同じ機能をもつ部分については同じ参照符号を付して説明を省略し、異なる機能をもつ部分のみについて説明する。
【００３３】
この金属製のコネクタ２７′は、上面板部４８の上面に平坦な吸着面４９が形成されている。この吸着面４９も、自動実装装置の吸着工具によってコネクタ２７′を吸着保持するのに適したものである。このように、金属製のコネクタ２７′に吸着面４９を直接形成してもよい。
【００３４】
図７Ａ〜図７Ｃを参照して、回路基板２３とコネクタ２７′と給電用電線２８との関係について説明する。
【００３５】
図７Ａは、回路基板２３に搭載したコネクタ２７′に給電用電線２８を装着する前の状態を示す。回路基板２３の上面は絶縁膜５１で覆われている。絶縁膜５１を部分的に除去して露出させた電気回路５２にコネクタ２７′が半田付けにより接続されている。コネクタ２７′に給電用電線２８を装着するには、給電用電線２８の導体よりなる単線部２８ａを、コネクタ２７′の挿入部４２（図６Ａ参照）に挿入する。このときの給電用電線２８の挿入方向は接続対象物である回路基板２３の一面と実質的に平行な方向となる。
【００３６】
コネクタ２７′に給電用電線２８を装着した後の状態を図７Ｂ及び図７Ｃに示す。図７Ｂ及び図７Ｃに示す状態にあるときの給電用電線２８とコネクタ２７′との関係は、前述のコネクタ２７と同様であるため図５Ｃを再び参照して説明する。
【００３７】
図５Ｃにおいて、給電用電線２８の単線部２８ａが接続部材３２の第１バネ部４３と第２バネ部４４との間に介在し、主に第２バネ部４４を外向きに弾性的に撓ませている。この結果、主に第２バネ部４４の弾性復元力により接触部４３ａ，４４ａが単線部２８ａの周面に圧接されている。この状態において、接触部４４ａの先端部がエッジ形状に形成されているので、単線部２８ａはしっかりと保持されて抜け止めされる。こうして、給電用電線２８の保持力の増大が図られている。なお、単線部２８ａの代わりに、撚り線に半田コーティングを施したものを用いてもよい。
【００３８】
上述したように、コネクタ２７′に給電用電線２８を簡単な作業で確実に接続できる。したがって、ＬＥＤ２５と同時にコネクタ２７′を回路基板２３に実装することができ、かつコネクタ２７′と回路基板２３との接続も半田により簡単に行うことができる。
【００３９】
なお、本発明は上記実施形態に限られることはなく、またその一部又は全部は以下の付記のようにも記載され得るがそれらには限られない。
【００４０】
（付記１）
電線と接続対象物との間を接続する接続部材を備えたコネクタにおいて、
前記接続部材は、角筒状に形成された本体部と、前記本体部の一側に形成され前記電線を挿入するための挿入部と、前記本体部の他側に配置され前記電線と接続するための接触部を備えたバネ部と、前記接続対象物と接続する端子部とを有し、
前記バネ部は対向配置された第１バネ部と第２バネ部とからなり、前記第１バネ部と前記第２バネ部とのうち少なくとも一方の接触部は先端部がエッジ形状に形成されていることを特徴とするコネクタ。
【００４１】
（付記２）
前記端子部は前記本体部の―側と他側のそれぞれから連接されて形成され、前記接続対象物の接続部と半田接続する第１端子部と第２端子部とを有し、前記第１の端子部と前記第２の端子部とのうち少なくとも一方は切欠きを有することを特徴とする、付記１に記載のコネクタ。
【００４２】
（付記３）
前記接続対象物の一面に搭載されて接続するコネクタであり、前記電線の挿入方向は前記接続対象物の一面と平行な方向で前記接続部材に挿入されることを特徴とする、付記１又は２に記載のコネクタ。
【００４３】
（付記４）
前記接続対象物に搭載されて接続するコネクタであり、前記本体部の一面は吸着面となることを特徴とする、付記１から３のいずれか一つに記載のコネクタ。
【００４４】
（付記５）
前記接続部材を収容保持する絶縁性のハウジングを有することを特徴とする、付記１から４のいずれか一つに記載のコネクタ。
【００４５】
（付記６）
付記１から５のいずれか一つに記載のコネクタと、前記コネクタに接続された電線と、ＬＥＤと、前記ＬＥＤを搭載した回路基板とを含み、前記コネクタは、前記回路基板の一面に搭載されていることを特徴とする照明装置。
【符号の説明】
【００４６】
２０  照明装置
２１  放熱部材
２２  伝熱部材
２３  回路基板（接続対象物）
２４  ねじ
２５  ＬＥＤ
２６  カバー
２７  コネクタ
２７′  コネクタ
２８  給電用電線（電線）
２８ａ  単線部
２９  部品固定部材
３１  口金部
３２  接続部材
３３  ハウジング
３４  吸着面
３５  ハウジングの前面
３６  電線挿入部
３７  ハウジングの下面
３８  ハウジングの背面
４１  本体部
４２  挿入部
４３  第１バネ部
４３ａ  接触部
４４  第２バネ部
４４ａ  接触部
４５  第１端子部
４５ａ  切欠き
４６  第２端子部
４６ａ  接続部
４６ｂ  接続部
４７  固定部
４８  上面板部
４９  吸着面
５１  絶縁膜
５２  電気回路
【図１】
0005626874.tif 000002
【図２】
0005626874.tif 000003
【図３Ａ】
0005626874.tif 000004
【図３Ｂ】
0005626874.tif 000005
【図３Ｃ】
0005626874.tif 000006
【図４Ａ】
0005626874.tif 000007
【図４Ｂ】
0005626874.tif 000008
【図５Ａ】
0005626874.tif 000009
【図５Ｂ】
0005626874.tif 000010
【図５Ｃ】
0005626874.tif 000011
【図６Ａ】
0005626874.tif 000012
【図６Ｂ】
0005626874.tif 000013
【図６Ｃ】
0005626874.tif 000014
【図７Ａ】
0005626874.tif 000015
【図７Ｂ】
0005626874.tif 000016
【図７Ｃ】
0005626874.tif 000017